(57)【要約】【課題】操作員がグレーチングを開けて堰の中に入ること無く、簡単な操作で堰の水を複数の流雪溝に分水できるようにすることにより操作に要する時間と労力を縮減できるとともに、通行人や通行車両の堰への転落事故の危険を無くし安全に通行できる堰の分水ゲートを提供する。【解決手段】堰７に設けた支承部８に扉体９を堰７の内側で水平方向に回転自在となるように固定し、扉体９をグレーチング１の上方からハンドルの操作により回転移動して堰７の内壁の第１の流雪溝４が接続している開口部６と第２の流雪溝５が接続している開口部６から離れた所定の位置に係止することにより操作員がグレーチング１を開けて堰７の中に入ること無く、簡単な操作で堰７の水を第１の流雪溝４と第２の流雪溝５に流水量を調節して分水できるようにした。【選択図】  図４
2005009274.tif 000002
【特許請求の範囲】
【請求項１】
複数の流出水路を側壁の開口部に接続した堰に設けた支承部に扉体を１体または複数体前記堰の内側で水平方向に回転自在となるように固定し、前記扉体を回転移動して前記堰の内壁に前記開口部を塞ぐように密着させて係止することにより前記流出水路への水の流出を堰き止めることができるようにし、また前記扉体を回転移動して前記堰の内壁の前記開口部から離れた所定の位置に係止することにより複数の前記流出水路に流水量を調節して分配できるようにもして、前記堰の水を複数の前記流出水路に分水できるようにしたことを特徴とする堰の分水ゲート。
【請求項２】
前記堰の内壁の前記開口部と前記扉体との間の水密性を有する水密構造部材（例えば水密ゴム）を前記開口部の縁または前記扉体の片面もしくは両面に具備した請求項１に記載の堰の分水ゲート。
【発明の詳細な説明】
【０００１】
【発明の属する技術分野】
本発明は、例えば除雪した雪を大量の水が流れている流雪溝に投雪して流し排雪する流雪溝設備に設けた堰に設置し、扉体の操作により堰の水を複数の流雪溝に分水する堰の分水ゲートに関するものである。
【０００２】
【従来の技術】
従来、例えば豪雪地帯の道路脇の路面下に埋設され、上部に鋼材を格子状に形成した平板状の堅牢なグレーチングを上面が道路面と平らになるように且つ開閉できるように載置し、溝蓋を載置したＵ字溝から成る流入水路と複数の流雪溝を側壁の開口部に接続した堰に、河川や地下からポンプで取水した大量の水を流入水路を経由して吐出し、この大量の水を複数の流雪溝に分水して流し、この流雪溝に除雪した雪を投雪して流し排雪する流雪溝設備において、堰の水を複数の流雪溝に分水するときは、操作員が道路上のグレーチングを開けて堰の中に入り、内壁の流雪溝が接続している開口部の縁に設けた向い合う一対の溝に複数枚から成る堰板を所要枚数落とし込んだり取り外したりすることにより、流雪溝への水の流出を堰き止めたり流水量を調節したりする角落とし設備を各流雪溝毎に操作していたために多くの時間と労力を要し、また道路上のグレーチングを開けた状態で角落とし設備を操作するために通行人や通行車両の堰への転落事故の危険があるとともに通行の障害となり交通事故の危険をも伴っていたという問題点を有していた。
【０００３】
【発明が解決しようとする課題】
本発明は、操作員がグレーチングを開けて堰の中に入ること無く、簡単な操作で堰の水を複数の流雪溝に分水できるようにすることにより操作に要する時間と労力を縮減できるとともに、通行人や通行車両の堰への転落事故の危険を無くし安全に通行できる堰の分水ゲートを提供することを目的とする。
【０００４】
【課題を解決するための手段】
上記目的を達成するために、上部にグレーチングを載置し、複数の流雪溝を側壁の開口部に接続した堰に設けた支承部に扉体を１体または複数体前記堰の内側で水平方向に回転自在となるように固定し、前記扉体を前記グレーチングの上方からハンドルの操作により回転移動して前記堰の内壁に前記開口部を塞ぐように密着させて係止することにより前記流雪溝への水の流出を堰き止めることができるようにし、また前記扉体を同様に回転移動して前記堰の内壁の前記開口部から離れた所定の位置に係止することにより複数の前記流雪溝に流水量を調節して分配できるようにもして、操作員が前記グレーチングを開けて前記堰の中に入ること無く、簡単な操作で前記堰の水を複数の前記流雪溝に分水できるようにした。
【０００５】
【実施例】
本発明の堰の分水ゲートの一実施例を図面により説明する。
図１は扉体が堰の内壁に第１の流雪溝が接続している開口部を塞いで密着して係止し、第１の流雪溝への水の流出を堰き止めながら第２の流雪溝に水が流出するように堰の水を分水している状態を示す堰の平面図、図２は扉体をグレーチングの上方からハンドルの操作により回転移動する状態を示す堰の断面図、図３は扉体が堰の内壁に第２の流雪溝が接続している開口部を塞いで密着して係止し、第２の流雪溝への水の流出を堰き止めながら第１の流雪溝に水が流出するように堰の水を分水している状態を示す堰の平面図、図４は扉体が堰の内壁の第１の流雪溝が接続している開口部と第２の流雪溝が接続している開口部から離れた所定の位置に係止し、第１の流雪溝と第２の流雪溝に流水量を調節して堰の水を分水している状態を示す堰の平面図、図５は堰の内壁の第１の流雪溝が接続している開口部および第２の流雪溝が接続している開口部と扉体との間の水密性を有する水密構造部材（例えば水密ゴム）を開口部の縁に具備した状態を示す堰の平面図、図６は堰の内壁の第１の流雪溝が接続している開口部および第２の流雪溝が接続している開口部と扉体との間の水密性を有する水密構造部材（例えば水密ゴム）を扉体の両面に具備した状態を示す堰の平面図である。
図において、１はグレーチング、２は溝蓋、３は流入水路、４は第１の流雪溝、５は第２の流雪溝、６は開口部、７は堰、８は支承部、９は扉体、１０はハンドル、１１は水密構造部材（例えば水密ゴム）である。
本発明の堰の分水ゲートの一実施例では、図１および図２に示すとおり上部に鋼材を格子状に形成した平板状の堅牢なグレーチング１を上面が道路面と平らになるように載置し、溝蓋２を載置したＵ字溝から成る流入水路３と第１の流雪溝４および第２の流雪溝５を側壁の開口部６に接続した方形の堰７に設けた支承部８に扉体９を堰７の内側で水平方向に回転自在となるように固定し、扉体９をグレーチング１の上方からハンドル１０の操作により回転移動して堰７の内壁に第１の流雪溝４が接続している開口部６を塞ぐように密着させて係止することにより第１の流雪溝４への水の流出を堰き止めながら第２の流雪溝５に水が流出するようにし、図３に示すとおり扉体９を同様に回転移動して堰７の内壁に第２の流雪溝５が接続している開口部６を塞ぐように密着させて係止することにより第２の流雪溝５への水の流出を堰き止めながら第１の流雪溝４に水が流出するようにし、図４に示すとおり扉体９を同様に回転移動して堰７の内壁の第１の流雪溝４が接続している開口部６と第２の流雪溝５が接続している開口部６から離れた所定の位置に係止することにより第１の流雪溝４と第２の流雪溝５に流水量を調節して分配するようにもして、操作員がグレーチング１を開けて堰７の中に入ること無く、簡単な操作で堰７の水を第１の流雪溝４と第２の流雪溝５に分水できるようにした。
また、堰７の内壁の第１の流雪溝４が接続している開口部６および第２の流雪溝５が接続している開口部６と扉体９との間の水密性を有する水密構造部材１１（例えば水密ゴム）を図５に示すとおり開口部６の縁または図６に示すとおり扉体９の片面もしくは両面に具備することにより止水性能を向上することができるようにもした。
尚、本発明の堰の分水ゲートの一実施例では、扉体９をグレーチング１の上方からハンドル１０の操作により回転移動するようにしたが、減速機を組み込み軽微な力で操作できるようにすること、または減速機付モータあるいは油圧シリンダー等の駆動装置を組み込み動力により操作するようにしてもよいことはいうまでもない。
また、本発明の堰の分水ゲートの一実施例では、分水ゲートを流雪溝設備に設けた堰７に設置するようにしたが、農業用水路設備等の他の設備に設けた堰に設置してもよいこともいうまでもない。
【０００６】
【発明の効果】
本発明の堰の分水ゲートは上記のように構成されているので、操作員がグレーチングを開けて堰の中に入ること無く、簡単な操作で堰の水を複数の流雪溝に分水できるようにしたことにより操作に要する時間と労力を縮減できるとともに、通行人や通行車両の堰への転落事故の危険を無くし安全に通行できるという効果がある。
【図面の簡単な説明】
【図１】扉体が堰の内壁に第１の流雪溝が接続している開口部を塞いで密着して係止し、第１の流雪溝への水の流出を堰き止めながら第２の流雪溝に水が流出するように堰の水を分水している状態を示す堰の平面図である。
【図２】扉体をグレーチングの上方からハンドルの操作により回転移動する状態を示す堰の断面図である。
【図３】扉体が堰の内壁に第２の流雪溝が接続している開口部を塞いで密着して係止し、第２の流雪溝への水の流出を堰き止めながら第１の流雪溝に水が流出するように堰の水を分水している状態を示す堰の平面図である。
【図４】扉体が堰の内壁の第１の流雪溝が接続している開口部と第２の流雪溝が接続している開口部から離れた所定の位置に係止し、第１の流雪溝と第２の流雪溝に流水量を調節して堰の水を分水している状態を示す堰の平面図である。
【図５】堰の内壁の第１の流雪溝が接続している開口部および第２の流雪溝が接続している開口部と扉体との間の水密性を有する水密構造部材（例えば水密ゴム）を開口部の縁に具備した状態を示す堰の平面図である。
【図６】堰の内壁の第１の流雪溝が接続している開口部および第２の流雪溝が接続している開口部と扉体との間の水密性を有する水密構造部材（例えば水密ゴム）を扉体の両面に具備した状態を示す堰の平面図である。
【符号の説明】
１    グレーチング
２    溝蓋
３    流入水路
４    第１の流雪溝
５    第２の流雪溝
６    開口部
７    堰
８    支承部
９    扉体
１０    ハンドル
１１    水密構造部材
【図１】
2005009274.tif 000003
【図２】
2005009274.tif 000004
【図３】
2005009274.tif 000005
【図４】
2005009274.tif 000006
【図５】
2005009274.tif 000007
【図６】
2005009274.tif 000008